(57)【要約】【課題】イヤホンの音質を容易に補正することができる情報処理装置を実現する。【解決手段】実施形態によれば、測定音出力手段は、少なくとも一方がチャネル識別情報を含む第１および第２の測定音を、それぞれ左チャネルおよび右チャネルから出力端子に出力する。測定手段は、前記出力端子に接続されるイヤホンまたはヘッドホンから出力される前記測定音を収音することによって前記イヤホンまたはヘッドホンの音響特性を測定する。左右判定手段は、前記収音された測定音に対し、チャネル識別情報の検出に基づいて前記左右いずれの音であるかを判定する。補正情報生成手段は、前記判定手段で左と判定された場合、前記測定された音響特性に基づいて第１の補正情報を生成し、前記判定手段で右と判定された場合、前記測定された音響特性に基づいて第２の補正情報を生成する。【選択図】図３
2013098731.tif 000002
【特許請求の範囲】
【請求項１】
少なくとも一方がチャネル識別情報を含む第１および第２の測定音を、それぞれ左チャネルおよび右チャネルから出力端子に出力する測定音出力手段と、
前記出力端子に接続されるイヤホンまたはヘッドホンから出力される前記測定音を収音することによって前記イヤホンまたはヘッドホンの音響特性を測定する測定手段と、
前記収音された測定音に対し、チャネル識別情報の検出に基づいて前記左右いずれの音であるかを判定する左右判定手段と、
前記判定手段で左と判定された場合、前記測定された音響特性に基づいて第１の補正情報を生成し、前記判定手段で右と判定された場合、前記測定された音響特性に基づいて第２の補正情報を生成する補正情報生成手段と、
オーディオ再生部から出力される左チャネルの音信号の周波数特性を前記第１の補正情報に基づいて補正し、前記オーディオ再生部から出力される右チャネルの音信号の周波数特性を前記第２の補正情報に基づいて補正する補正手段とを具備する情報処理装置。
【請求項２】
前記測定音出力手段は、前記左右判定手段によって前記収音された測定音が前記左チャネルの音であると判定された場合、前記右チャネル用音出力部から出力される音の音量が下がるように前記第２の測定音を制御し、前記判定手段によって前記収音された測定音が前記右チャネル音であると判定された場合、前記左チャネル用音出力部から出力される音の音量が下がるように前記第１の測定音を制御する請求項１記載の情報処理装置。
【請求項３】
前記左右判定手段による判定結果を画面に表示するまたは前記判定結果を音声で出力する結果提示手段をさらに具備する請求項１または２記載の情報処理装置。
【請求項４】
前記左右判定手段は、前記収音した測定音内のチャネル識別情報が含まれる区間の信号を、前記測定音内の測定信号から得られる音響特性に基づいて補正し、前記補正された信号に基づき左右の判定をする請求項１、２または３記載の情報処理装置。
【請求項５】
前記補正情報生成手段は、前記測定手段によって測定された前記音響特性に基づき、前記第１の補正情報または前記第２の補正情報を含む第３の補正情報を生成し、前記補正手段は、前記第１および第２の測定音内の前記チャネル識別情報が含まれる所定の区間に対応する前記測定音内の前記所定の区間に含まれる信号を、前記第３の補正情報に基づいて補正し、前記左右判定手段は、補正された前記所定の区間に含まれる信号に基づき、前記収音された測定音が前記左チャネルの音および前記右チャネルの音のいずれであるかを判定する請求項１、２または３記載の情報処理装置。
【請求項６】
互いに異なる第１および第２の測定音を、それぞれ左チャネルおよび右チャネルから出力端子に出力する測定音出力手段と、
前記出力端子に接続されるイヤホンまたはヘッドホンから出力される前記測定音を収音することによって前記イヤホンまたはヘッドホンの音響特性を測定する測定手段と、
前記収音された測定音に対し、チャネル識別情報の検出に基づいて前記左右いずれの音であるかを判定する左右判定手段と、
前記判定手段で左と判定された場合、前記測定された音響特性に基づいて第１の補正情報を生成し、前記判定手段で右と判定された場合、前記測定された音響特性に基づいて第２の補正情報を生成する補正情報生成手段と、
オーディオ再生部から出力される左チャネルの音信号の周波数特性を前記第１の補正情報に基づいて補正し、前記オーディオ再生部から出力される右チャネルの音信号の周波数特性を前記第２の補正情報に基づいて補正する補正手段とを具備する情報処理装置。
【請求項７】
前記測定音出力手段は、前記第１の測定音の時系列と逆の時系列の前記第２の測定音を出力する請求項６記載の情報処理装置。
【請求項８】
前記測定音出力手段は、前記第１の測定音と性質が異なる音から成る前記第２の測定音を出力する請求項６記載の情報処理装置。
【請求項９】
前記第１及び第２の測定音は、それぞれ複数の測定信号を有し、
前記測定音出力手段は、前記第１の測定音に含まれる前記複数の測定信号が前記出力端子から出力される時間間隔と異なる時間間隔で前記第２の測定音に含まれる前記複数の測定信号が前記出力端子から出力する請求項６記載の情報処理装置。
【請求項１０】
少なくとも一方がチャネル識別情報を含む第１および第２の測定音を、それぞれ左チャネルおよび右チャネルから出力端子に出力し、
前記出力端子に接続されるイヤホンまたはヘッドホンから出力される前記測定音を収音することによって前記イヤホンまたはヘッドホンの音響特性を測定し、
前記収音された測定音に対し、チャネル識別情報の検出に基づいて前記左右いずれの音であるかを判定し、
左と判定された場合、前記測定された音響特性に基づいて第１の補正情報を生成し、右と判定された場合、前記測定された音響特性に基づいて第２の補正情報を生成し、
オーディオ再生部から出力される左チャネルの音信号の周波数特性を前記第１の補正情報に基づいて補正し、前記オーディオ再生部から出力される右チャネルの音信号の周波数特性を前記第２の補正情報に基づいて補正する補正制御方法。
【発明の詳細な説明】
【技術分野】
【０００１】
本発明の実施形態は、イヤホン音質を補正する情報処理装置および補正制御方法に関する。
【背景技術】
【０００２】
近年、パーソナルコンピュータ（ＰＣ）、タブレットＰＣといった種々の情報処理装置が開発されている。この種の多くの情報処理装置では、イヤホンやヘッドホン等の外部音声出力機器（以下、イヤホンと称す）と接続し、音楽等を再生することができる。また、ユーザはイヤホンを介して情報処理装置によって再生される音楽を聴くことができる。
【０００３】
一般的に、イヤホンから出力される音楽の音質は、ユーザが使用しているイヤホンの種類等によって各々異なる。
【先行技術文献】
【特許文献】
【０００４】
【特許文献１】特開２００７−２３５８０９号公報
【発明の概要】
【発明が解決しようとする課題】
【０００５】
また、イヤホンはその左右の音質が必ずしも同一ではないため、同じ種類のイヤホンであっても、左右の音質にばらつきが大きいものがある。そのため、高品質なイヤホン再生音を得るためには、イヤホンの左右それぞれの音質を正しく補正できるようにすることが必要である。
【０００６】
本発明は、イヤホンの音質を容易に補正することができる情報処理装置および補正制御方法を提供することを目的とする。
【課題を解決するための手段】
【０００７】
実施形態によれば、情報処理装置は、測定音出力手段と、測定手段と、左右判定手段と、補正情報生成手段と、補正手段とを具備する。測定音出力手段は、少なくとも一方がチャネル識別情報を含む第１および第２の測定音を、それぞれ左チャネルおよび右チャネルから出力端子に出力する。測定手段は、前記出力端子に接続されるイヤホンまたはヘッドホンから出力される前記測定音を収音することによって前記イヤホンまたはヘッドホンの音響特性を測定する。左右判定手段は、前記収音された測定音に対し、チャネル識別情報の検出に基づいて前記左右いずれの音であるかを判定する。補正情報生成手段は、前記判定手段で左と判定された場合、前記測定された音響特性に基づいて第１の補正情報を生成し、前記判定手段で右と判定された場合、前記測定された音響特性に基づいて第２の補正情報を生成する。補正手段は、オーディオ再生部から出力される左チャネルの音信号の周波数特性を前記第１の補正情報に基づいて補正し、前記オーディオ再生部から出力される右チャネルの音信号の周波数特性を前記第２の補正情報に基づいて補正する。
【図面の簡単な説明】
【０００８】
【図１】第１の実施形態に係る情報処理装置の外観を示す図。
【図２】第１の実施形態の情報処理装置のシステム構成を示すブロック図。
【図３】第１の実施形態の情報処理装置で動作する音質改善プログラムの構成例を示すブロック図。
【図４】第１の実施形態の情報処理装置で使用される測定音の構成の一例を示す図。
【図５】第１の実施形態の情報処理装置によって実行される音響特性測定処理の手順の一例を示すフローチャート。
【図６】第１の実施形態の情報処理装置によって実行される左右識別処理の手順を説明するためのフローチャート。
【図７】第２の実施形態の情報処理装置で使用される測定音の構成の一例を示す図。
【図８】第２の実施形態の情報処理装置で使用される測定音の構成の他の例を示す図。
【図９】第２の実施形態の情報処理装置によって実行される音響特性測定処理の手順の一例を示すフローチャート。
【図１０】第３の実施形態の情報処理装置によって実行される音響特性測定処理の手順の一例を示すフローチャート。
【図１１】第３の実施形態の情報処理装置によって実行される左右識別処理の手順を説明するためのフローチャート。
【図１２】第１、第２、第３の各実施形態で使用可能な測定音の構成の他の例を示す図。
【図１３】第１、第２、第３の各実施形態で使用可能な測定音の構成のさらに他の例を示す図。
【図１４】第１、第２、第３の各実施形態で使用可能な測定音の構成のさらに他の例を示す図。
【図１５】第１、第２、第３の各実施形態で使用可能な識別信号の性質の一例を説明するための図。
【発明を実施するための形態】
【０００９】
（第１の実施形態）
以下、第１の実施の形態について図面を参照して説明する。  
図１は、本実施形態に係る情報処理装置の外観を示す斜視図である。この情報処理装置は、例えば、ラップトップ型パーソナルコンピュータ（ＰＣ）、タブレット型ＰＣ、スマートフォン、またはＰＤＡ等として実現され得る。以下では、この情報処理装置がラップトップ型パーソナルコンピュータ１（以下、ＰＣ１と称す）として実現されている場合を想定する。
【００１０】
ＰＣ１は、図１に示すように、コンピュータ本体１１とディスプレイユニット１２とから構成されている。ディスプレイユニット１２は、コンピュータ本体１１に対し、コンピュータ本体１１の上面が露出される開放位置とコンピュータ本体１１の上面を覆う閉塞位置との間を回動自在に取り付けられている。ディスプレイユニット１２には、ＬＣＤ（Liquid crystal display）１３、及びマイクロホン１６が組み込まれている。マイクロホン１６は、効率良く音を収音できるようにするために、ディスプレイユニット１２の正面部に設けられている。コンピュータ本体１１は、薄い箱形の筐体を有しており、その上面には、キーボード１４およびタッチパッド１５などが配置されている。また、コンピュータ本体１１の筐体側面部には、イヤホンを接続可能な音信号出力用の出力端子１１３が設けられている。
【００１１】
イヤホンは、出力端子１１３と接続可能な入力端子１７と、音を出力する音出力部１８及び音出力部１９とを備えている。ＰＣ１で再生される音は、出力端子１１３を介して入力端子１７からイヤホンに入力される。イヤホンに入力された音は、音出力部１８及び音出力部１９から出力される。音出力部１８及び音出力部１９は、左（Ｌ）チャネル音信号に対応する音および右（Ｒ）チャネル音信号に対応する音を出力する。
【００１２】
ユーザがイヤホンを使用して、ＰＣ１から送られてくる音を聴く場合、入力端子１７をＰＣ１の出力端子１１３に接続し、音出力部１８（以下、Ｌ側とも称す）及び音出力部１９（以下、Ｒ側とも称す）の各々（以下、イヤホンの左右とも称す）をユーザの左右の耳に当てる。これにより、ユーザは、ステレオで音を聴くことができる。しかしながら、ユーザが聴くことができる音の音質は、ユーザが使用しているイヤホンの性能（音響特性）に依存する。そのため、仮に、ユーザが安価で性能が低いイヤホンを使用していた場合、ユーザは低品質の音しか聴くことができない。このような場合においても、イヤホンの音質を改善することで、ユーザは高音質の音を聴くことができる。さらに、イヤホンの性能は、Ｌ側とＲ側とで異なる場合がある。すなわち、Ｌ側とＲ側の各々から出力される音の音質が異なる。そのため、Ｌ側とＲ側の音質をそれぞれ改善することによって、ユーザはより高音質な音を聴くことができる。
【００１３】
本実施形態では、イヤホンの左右から出力される音をマイクロホン１６で収音し、収音した音の音響特性から、イヤホンの左右それぞれに対応した補正フィルタを作成し、ＰＣ１からイヤホンに送られる音に対して補正フィルタを適用することで、イヤホンの左右から出力される音の音質を改善する。また、イヤホンの音出力部１８から出力される音をマイクロホン１６によって収音する際、図１に示すように、ユーザは、音出力部１８をマイクロホン１６に近づける。あるいは、音出力部１８とマイクロホン１６を接触させた状態で収音を行う。このようにすることによって、一般のユーザでも簡単に、低コストで高精度に、イヤホンの左右の音響特性を測定することができる。
【００１４】
しかしながら、図１に示すように、ユーザが音出力部１８をマイクロホン１６に近づける際、ユーザは音出力部１８がＬ側であるかＲ側であるかどうか判断しなければならない。仮に、ユーザが誤って音出力部１８をＲ側だと判断し、音出力部１８をマイクロホン１６に近づけ、Ｒ側に対応した補正フィルタが作成された場合、Ｌ側である音出力部１８から出力される音は、Ｒ側に対応した補正フィルタを適用したＬ側用の音の信号である。したがって、このような場合、イヤホンの左右の音質を正しく改善することができない。また、ユーザがイヤホンの左右を識別する際、ユーザはイヤホンの左右を区別できるイヤホンの「Ｌ」や「Ｒ」等の表記を見て左右を識別するが、その表記が小さく識別することが困難である、あるいは、イヤホンのデザインの仕様でその表記が見えにくい場合がある。そのため、ユーザはイヤホンの左右の判別に手間取る場合がある。さらに、左右を識別するための表記が、ユーザが直ぐに探し出すことができないような所に表示されている場合や、あるいは、イヤホンに記されていない場合もある。このようなことが原因となり、ユーザがイヤホンの左右を正しく判別できない場合がある。本実施形態では、ユーザによるイヤホンの左右の判別を行わずに、イヤホンの左右のそれぞれに対応した補正フィルタを作成し、イヤホンの左右のそれぞれから出力される音の改善を行うことができる。
【００１５】
次に、図２を参照し、本実施形態のＰＣ１のシステム構成について説明する。  
図２に示すように、ＰＣ１は、ＬＣＤ１３、ＣＰＵ（Central processing unit）１０１、ノースブリッジ１０２、主メモリ１０３、サウスブリッジ１０４、ＧＰＵ（Graphics processing unit）１０５、サウンドコントローラ１０６、ＢＩＯＳ（Basic input/output system）−ＲＯＭ（Read only memory）１０７、ＬＡＮ（Local area network）コントローラ１０８、ＨＤＤ（Hard disk drive）１０９、ＯＤＤ（Optical disc drive）１１０およびＥＣ／ＫＢＣ（Embedded controller/Keyboard controller）１１１、スピーカ１１２、出力端子１１３、及びマイクロホン１６等を有している。
【００１６】
ＣＰＵ１０１は、ＰＣ１の動作を制御するプロセッサであり、ＨＤＤ１０９から主メモリ１０３にロードされる各種プログラムを実行する。ＣＰＵ１０１によって実行される各種プログラムの中には、リソース管理を司るＯＳ（Operating system）１２１や、当該ＯＳ１２１の配下で動作する、後述するメディアプレーヤ１２２及び音質改善プログラム２０２等が存在する。メディアプレーヤ１２２は、音のファイルを再生するためのアプリケーションソフトウェアである。音質改善プログラム２０２は、イヤホンから出力される音の音質を改善するためのアプリケーションソフトウェアである。また、ＣＰＵ１０１は、ＢＩＯＳ−ＲＯＭ１０７に格納されたＢＩＯＳも実行する。ＢＩＯＳは、ハードウェア制御のためのプログラムである。
【００１７】
ノースブリッジ１０２は、ＣＰＵ１０１とサウスブリッジ１０４との間を接続するブリッジデバイスとして動作すると共に、主メモリ１０３をアクセス制御するメモリコントローラとして動作する。また、ノースブリッジ１０２は、ＧＰＵ１０５との通信を実行する機能を有している。
【００１８】
ＧＰＵ１０５は、ディスプレイユニット１２に組み込まれたＬＣＤ１３への画像表示を実行する表示コントローラである。また、ＧＰＵ１０５は、各種プログラムが表示しようとする画像をＣＰＵ１０１に代わって描画するアクセラレータを搭載する。
【００１９】
サウスブリッジ１０４は、ＢＩＯＳ−ＲＯＭ１０７をアクセス制御するメモリコントローラとして動作する。また、サウスブリッジ１０４は、ＨＤＤ１０９およびＯＤＤ１１０を制御するためのＩＤＥ（Integrated Device Electronics）コントローラを内蔵している。さらに、サウスブリッジ１０４は、サウンドコントローラ１０６との通信を実行する機能を有している。
【００２０】
サウンドコントローラ１０６は、音源デバイスであり、再生対象のオーディオデータをスピーカ１１２または（前述のコンピュータ本体１１の筐体側面部に設けられる）出力端子（イヤホン端子）１１３に出力するために、デジタル信号を電気信号に変換するＤ／Ａコンバータや、電気信号を増幅するアンプリファイアなどの回路を有する。また、サウンドコントローラ１０６は、（前述のコンピュータ本体１１に内蔵される）マイクロホン１６から入力された電気信号をデジタル信号に変換するＡ／Ｄコンバータなどの回路を有する。
【００２１】
ＥＣ／ＫＢＣ１１１は、ＰＣ１の電力管理を行うためのエンベデッドコントローラと、キーボード１４およびタッチパッド１５を制御するためのキーボードコントローラとが集積された１チップマイクロコンピュータである。
【００２２】
なお、音質改善プログラム２０２は、メディアプレーヤ１２２で実行されるアプリケーションであってもよいが、メディアプレーヤ１２２が実行されていない場合でも動作可能なプログラムであってもよい。
【００２３】
次に、図３を参照し、本実施形態の音質改善プログラム２０２の詳細な機能について説明する。  
図３では、音質改善プログラム２０２がメディアプレーヤ１２２内で実行されている場合を想定している。音質改善プログラム２０２は、信号測定部２１０及び補正・再生部２２０から構成されている。信号測定部２１０は、イヤホンのＬ側またはＲ側の音出力部１８または音出力部１９から出力される音（測定音）をマイクロホン１６によって収音することによって得られる入力音信号を測定する。補正・再生部２２０は、出力端子１１３に音の信号を送る。
【００２４】
信号測定部２１０は、測定部２１１、目標特性生成部２１３、Ｌ用補正フィルタ設計部２１２Ａ、Ｒ用補正フィルタ設計部２１２Ｂ、及び識別部２１４から構成されている。  
測定部２１１は、マイクロホン１６及び識別部２１４と接続されている。測定部２１１は、出力端子１１３に接続されるイヤホンまたはヘッドホンから出力される測定音をマイクロホン１６で収音することによってイヤホンまたはヘッドホンの音響特性を測定する。また、マイクロホン１６で収音された入力音信号の音響特性を測定する。換言すれば、測定部２１１は、測定音をマイクロホン１６によって収音することによって得られる入力音信号を使用して、イヤホンの音響特性を測定する。さらに、測定部２１１は、入力音信号の周波数特性を示す計測データを生成する。測定部２１１は、測定した入力音信号の音響特性及び生成した計測データを識別部２１４に送る。
【００２５】
識別部２１４は、測定部２１１、Ｌ用補正フィルタ設計部２１２Ａ、及びＬ用補正フィルタ設計部２１２Ｂと接続されている。識別部２１４は、入力音信号内に含まれるイヤホンの左右を識別するための情報（以下、キー信号またはチャネル識別情報とも称す）に基づき、イヤホンの左右を識別する。つまり、識別部２１４は、収音された測定音に対し、チャネル識別情報の検出に基づいて左右いずれの音であるかを判定する。
【００２６】
Ｌ用補正フィルタ設計部２１２Ａ及びＲ用補正フィルタ設計部２１２Ｂの各々は、識別部２１４、目標特性生成部２１３と接続されている。また、Ｌ用補正フィルタ設計部２１２ＡはＬ用補正フィルタ２２１Ａと接続されており、Ｒ用補正フィルタ設計部２１２ＢはＲ用補正フィルタ２２１Ｂと接続されている。Ｌ用補正フィルタ設計部２１１Ａは、Ｌ用の補正フィルタを設計し、Ｒ用補正フィルタ設計部２１１Ｂは、Ｒ用の補正フィルタを設計する。識別部２１４が、左と判定した場合、測定された音響特性に基づいて第１の補正情報を生成し、右と判定された場合、測定された音響特性に基づいて第２の補正情報を生成する。
【００２７】
具体的には、Ｌ用補正フィルタ設計部２１１Ａについて説明すると、Ｌ用補正フィルタ設計部２１１Ａは、識別部２１４を介して測定部２１１から送られてきた計測データが、後述する目標特性生成部２１３で生成された目標特性に近づくように、補正・再生部２２０のイコライザとして機能するＬ用補正フィルタ２２１Ａを設計する。あるいは、Ｌ用補正フィルタ設計部２１１Ａは、Ｌ用補正フィルタ２２１Ａに適用するパラメータ等の係数を生成する。Ｌ用補正フィルタ設計部２１１Ａによって設計されたＬ用の補正フィルタ、あるいはＬ用の補正情報やＬ用の補正パラメータが、Ｌ用補正フィルタ２２１Ａに送られる。R用補正フィルタ設計部２１１Bについて、上述したL用補正フィルタ設計部２１１Aと同様に、R用補正フィルタ設計部２１１Bは、識別部２１４を介して測定部２１１から送られてきた計測データが、目標特性生成部２１３で生成された目標特性に近づくように、補正・再生部２２０のイコライザとして機能するR用補正フィルタ２２１Bを設計する。あるいは、R用補正フィルタ設計部２１１Bは、R用補正フィルタ２２１Bに適用するパラメータ等の係数を生成する。R用補正フィルタ設計部２１１Bによって設計されたR用の補正フィルタ、あるいはR用の補正情報やR用の補正パラメータが、R用補正フィルタ２２１Bに送られる。
【００２８】
また、Ｌ用補正フィルタ設計部２１２Ａは、目標となる周波数特性のデータと補正対象となる入力音信号の周波数特性計測データとの差分に基づき、Ｌ用の補正パラメータを生成する。Ｌ用補正フィルタ設計部２１２Ａは、イヤホンの周波数特性を、目標となる周波数特性に近づけるためのＬ用の補正パラメータを生成する。Ｌ用の補正パラメータとしては、例えば一般的なパラメトリックイコライザで用いられるパラメータである。パラメトリックイコライザで用いられるパラメータは、例えば、中心となる周波数、調整する帯域の幅、および利得である。R用補正フィルタ設計部２１２Bは、目標となる周波数特性のデータと補正対象となる入力音信号の周波数特性計測データとの差分に基づき、R用の補正パラメータを生成する。R用補正フィルタ設計部２１２Bは、イヤホンの周波数特性を、目標となる周波数特性に近づけるためのR用の補正パラメータを生成する。R用の補正パラメータとしては、例えば、一般的なパラメトリックイコライザで用いられるパラメータである。
【００２９】
なお、Ｌ用補正フィルタ設計部２１２Ａ及びＲ用補正フィルタ設計部２１２Ｂの両方の機能を持った１つの補正フィルタ設計部で、Ｌ用の補正フィルタ及びＲ用の補正フィルタを設計してもよい。
【００３０】
目標特性生成部２１３は、補正フィルタを生成する際に使用される、音響特性の基準となる目標特性を生成する。目標特性の生成方法としては、予め用意した参照用の高音質イヤホンの周波数特性をそのまま使う場合や、ユーザの好みの特性に変形して用いるなど、種々の方法が適用可能ある。また、理想的な特性を複数用意しておきユーザに選択させる方法も考えられる。
【００３１】
なお、測定部２１１は、デジタルの音信号として、マイクロホン１６から測定部２１１に入力された入力音信号に基づいて、音の音圧レベルを測定してもよい。そして、測定部２１１は、測定された音圧レベルに基づいた、入力音信号の周波数特性を示す計測データを生成する。さらに、測定部２１１は、生成した周波数特性を示す計測データを、一時的に図示されない信号一時記憶部等に記憶してもよい。
【００３２】
補正・再生部２２０は、送信部２２２Ａを含む音響信号再生部２２２、Ｌ用補正フィルタ２２１Ａ、及びＲ用補正フィルタ２２１Ｂから構成されている。補正・再生部２２０は、信号測定部２１０によって測定されたイヤホンの音響特性の補正フィルタを、イヤホンの音響特性を測定する際に使用する測定音に含まれる信号（以下、測定信号と称す）と異なる音楽等の音信号（以下、再生音信号と称す）に適用し、補正フィルタを通した再生音信号をイヤホンに送る。つまり、補正・再生部２２０は、音響信号再生部２２２から出力される左チャネルの音信号の周波数特性を、識別部２１４で左と判定された場合に測定された音響特性に基づいて生成される第１の補正情報に基づいて補正し、音響信号再生部２２２から出力される右チャネルの音信号の周波数特性を、識別部２１４で右と判定された場合に測定された音響特性に基づいて生成される第２の補正情報に基づいて補正する。さらに、補正・再生部２２０は、左チャネルおよび右チャネルの各々から出力端子１１３に第1および第2の測定音を出力し、第1および第2の測定音は、それぞれ少なくとも一方がチャネル識別情報を含む。
【００３３】
Ｌ用補正フィルタ２２１Ａ及びＲ用補正フィルタ２２１Ｂの各々は、音響信号再生部２２２、出力端子１１３と接続されている。また、Ｌ用補正フィルタ２２１Ａは、Ｌ用補正フィルタ設計部２１２Ａと接続されており、Ｒ用補正フィルタ２２１Ｂは、Ｒ用補正フィルタ設計部２１２Ｂと接続されている。Ｌ用補正フィルタ２２１Ａ及びＲ用補正フィルタ２２１Ｂの各々は、例えば一般的なパラメトリックイコライザなどである。Ｌ用補正フィルタ２２１Ａは、Ｌ用補正フィルタ設計部２１２Ａから送られてきたＬ用の補正フィルタ（Ｌ用の補正パラメータ）を用いて、イヤホンのＬ側に出力される音信号（以下、左チャネル音信号と称す）を補正する。Ｒ用補正フィルタ２２１Ｂは、Ｒ用補正フィルタ設計部２１２Ｂから送られてきたＲ用の補正フィルタ（Ｒ用の補正パラメータ）を用いて、イヤホンのＲ側に出力される音信号（以下、右チャネル音信号と称す）を補正する。なお、Ｌ用補正フィルタ２２１Ａ及びＲ用補正フィルタ２２１Ｂは、Ｌ用補正フィルタ２２１Ａ及びＲ用補正フィルタ２２１Ｂの両方の機能を有する１つの補正フィルタで代用してもよい。
【００３４】
また、イヤホンは２つのチャネル（２ｃｈ）で音を出力することができ、補正・再生部２２０は、イヤホンのＬ側の音出力部１８に左チャネル音信号を送り、イヤホンのＲ側の音出力部１９に右チャネル音信号を送る。
【００３５】
音響信号再生部２２２は、Ｌ用補正フィルタ２２１Ａ及びＲ用補正フィルタ２２１Ｂと接続されており、測定信号及び再生音信号を再生する。測定信号の詳細については後述する。再生音信号は、音楽や音声等の音信号であり、ユーザはこの音信号をイヤホンを介して聴く。送信部２２２Ａは、測定信号または再生音信号をＬ用補正フィルタ２２１Ａ及びＲ用補正フィルタ２２１Ｂを介して出力端子１１３に送る。なお、測定信号が送信部２２２Ａから送信される場合、Ｌ用補正フィルタ２２１Ａ及びＲ用補正フィルタ２２１Ｂが補正を行わないように設定されている。また、送信部２２２Ａは、Ｌ用補正フィルタ２２１Ａを介して左チャネル音信号を送り、Ｒ用補正フィルタ２２１Ｂを介して右チャネル音信号を送る。
【００３６】
次に、図４を参照して、イヤホンの音響特性を測定する際に使用する測定音の詳細について説明する。  
本実施形態では、上述したように、イヤホンの入力端子１７をＰＣ１の出力端子１１３に接続し、ＰＣ１からイヤホンに左チャネル音信号及び右チャネル音信号として送られてくる測定音が、イヤホンの音出力部１８および音出力部１９の各々から出力され、その測定音がマイクロホン１６によって収音されることによって、イヤホンの音響特性が測定される。なお、以下、複数の測定信号から構成された音信号または測定信号に加えて測定信号以外の信号から構成された音信号を測定音とする。
【００３７】
図４に示すように、測定音は、例えばイヤホンの周波数特性を測定するための多様な周波数成分を持つ信号（測定信号）を用いて構成される。測定信号は、例えば、ＴＳＰ（Time Stretched Pulse）信号を用いることができる。他の例として、測定信号として白色雑音（ホワイトノイズ）を用いてもよい。また、測定信号はピンクノイズを用いることも可能であるが、これらに限られるものではない。
【００３８】
図４において、測定音は、図中の左側の方が時間的に先に出力される信号を表している。Ｌ側の測定音４０は、複数回出力される測定信号４４Ａ、４４Ｂ、及び４４Ｅ等の他に、測定音中の時間的に早い段階の区間（以下、初段区間と称す）にＬ側を識別するためのＬ用キー信号４２を含んでいる。同様に、Ｒ側の測定音４１は、複数回出力される測定信号４４Ｆ、４４Ｇ、及び４４Ｊの他に、測定音４１中の初段区間にＲ側を識別するためのＲ用キー信号４３を含んでいる。なお、測定信号４４Ａ、４４Ｂ、４４Ｅ、４４Ｆ、４４Ｇ、及び４４Ｊは、同じ性質を持った測定信号であるが、出力される順番の違いあるいはＬ側またはＲ側の何れに含まれる測定信号であるかを示すために区別された測定信号であってもよい。なお、図４では、測定音は時刻ｔ３までの一定の時間出力されているが、測定音が出力される時間の長さは、測定音に含まれる測定信号の長さや、測定信号を繰り返す回数、キー信号の長さなどに依存するため、測定音が出力される時間は適宜、設計で決めることができるものであり、必ずしも一定でなくてもよい。
【００３９】
なお、図４では、Ｌ用の測定音４０内の測定信号及びＲ用の測定音４１内の測定信号がそれぞれキー信号を含む例を示したが、キー信号はＬ用の測定音４０内の測定信号及びＲ用の測定音４１内の測定信号の少なくとも一方に含まれていればよい。すなわち、Ｌ用の測定音４０及びＲ用の測定音４１の各々の構成は、Ｌ用キー信号４２がＬ側の測定音４０に含まれており且つＲ用キー信号４３がＲ側の測定音４１に含まれていない構成と、あるいは、Ｌ用キー信号４２がＬ側の測定音４０に含まれておらず且つＲ用キー信号４３がＲ側の測定音４１に含まれている構成と、の何れかの構成であればよい。
【００４０】
また、Ｌ用キー信号４２及びＲ用キー信号４３の各々は、初段区間以外の区間、例えば測定音中の時間的に途中の段階の区間（以下、途中区間と称す）または測定音中の時間的に遅い段階の区間（以下、後段区間と称す）、に含まれていてもよい。ただし、Ｌ用キー信号４２及びＲ用キー信号４３の各々を初段区間に配置した場合、時間的に最も早くＬ側とＲ側の識別結果を得ることができる効果がある。
【００４１】
次に、図５を参照して、本実施形態のイヤホンの音質を改善するための処理を説明する。  
ユーザによってイヤホンの左右の何れかがマイクロホン１６に近づけられ、測定音の測定が開始される。なお、測定の際はイヤホンから出力される音をマイクロホン１６で適切に収音できるようなイヤホンとマイクロホン１６との位置関係を示すガイドをユーザに示してもよい。送信部２２２Ａは、図４に示したようなＬ用の測定音及びＲ用の測定音をイヤホンに送信する（ステップＳ２１）。なお、Ｌ用の測定音及びＲ用の測定音が、イヤホンのＬ用の音出力部１８及びＲ用の音出力部１９から、左チャネル音信号及び右チャネル音信号として出力されるようにすることで、ユーザがイヤホンの左右を判別することなく測定を開始することが可能となる効果がある。
【００４２】
次に、送信部２２２Ａから送信された測定音は、音出力部１８及び音出力部１９から出力され、入力音信号としてマイクロホン１６によって収音される。識別部２１４は、収音された入力音信号に含まれるキー信号に基づいて、測定している測定音がＬ側の測定音であるかＲ側の測定音であるかを識別する（ステップＳ２２）。次に、測定音に含まれる測定信号を用いてイヤホンの特性を分析する（ステップＳ２３）。なお、ステップＳ２３でイヤホンの特性を分析した後、ステップＳ２２で左右の識別を行ってもよい。次に、イヤホンの両側の特性を測定したかどうかを判定する（ステップＳ２４）。両側の特性の測定結果が得られていない場合（ステップＳ２４のＮＯ）、測定を行っていない側の測定を行うためにステップＳ２１に戻る。なお、両側の特性を測定するためには、ユーザが測定を行っていない側をマイクロホン１６に近づける必要があるが、その際もユーザがイヤホンの左右を判別する必要はない。
【００４３】
両側の特性の測定結果が得られた場合（ステップＳ２４のＹＥＳ）、ステップＳ２２で識別された識別結果と、ステップＳ２３で得られた特性の分析結果とを対応付ける（ステップＳ２５）。なお、ステップＳ２５はステップＳ２４の前に行ってもよい。すなわち、両側の特性を得た後、識別結果と分析結果を対応付けるのではなく、ステップＳ２３で特性の分析結果が得られた後、測定していた測定音の識別結果と測定信号の分析結果を対応付けてもよい。そして、対応付け結果に基づき、Ｌ用の補正フィルタ及びＲ用の補正フィルタを作成し、その補正フィルタを用いて、通常の再生音信号（メディアプレーヤ１２２のようなオーディオ再生部によって音楽のようなオーディオデータを再生することによって得られる音信号）に含まれる左チャネル音信号及び右チャネル音信号を補正する（ステップＳ２６）。これにより、左右を誤って補正することなく適切な補正を行うことができる。
【００４４】
次に、図６を参照して、ステップＳ２２の処理について、さらに詳細に説明する。  
ステップＳ２２に対応するステップ２２Ａは、ステップＳ９１及びステップＳ９２から構成される。左右の識別は、測定音に含まれるキー信号に基づいて行われる。キー信号は、図４を参照して、上述したように測定音の所定の区間に含まれている。そのため、識別部２１４は、キー信号が含まれる所定の区間（識別区間）に対して左右を識別するための分析を行う（ステップＳ９１）。次に、識別部２１４は、その分析結果に基づき左右を識別し、その識別結果を出力する。
【００４５】
このように、測定音にＬ側とＲ側のキー信号を含ませることによって、イヤホンの左右が識別される。次に、このキー信号について具体的に説明する。  
左右のキー信号は、例えば、時間軸上でキー信号内のエネルギ分布の偏りに違いがある信号、周波数が異なるサイン波またはコサイン波から成る信号、または周波数帯域に偏りがある信号である。なお、エネルギ分布の偏りに違いがあるキー信号については、図１５を参照して後述する。
【００４６】
周波数が異なるサイン波またはコサイン波から成るキー信号を使用した場合、周波数が異なるサイン波またはコサイン波から成るキー信号は、測定周波数範囲内で周波数が離れたサイン波またはコサイン波であり、例えば、Ｌ用キー信号４２が１ｋＨｚのサイン波でＲ用キー信号４３が４ｋＨｚのサイン波である。あるいは、Ｌ用キー信号４２とＲ用キー信号４３が非倍音関係にあってもよい。例えば、Ｌ用キー信号４２が１．２ｋＨｚのサイン波で、Ｒ用キー信号４３が４．２ｋＨｚのサイン波である。さらに、キー信号は、複合サイン波であってもよい。例えば、Ｌ用キー信号４２が１ｋＨｚ〜３ｋＨｚの複合サイン波で、Ｒ用キー信号４３が４ｋＨｚ〜６ｋＨｚの複合サイン波である。
【００４７】
周波数帯域に偏りがあるキー信号を使用した場合、例えは、Ｌ用キー信号４２はハイパスフィルタ（ＨＰＦ）を介した信号で、Ｒ用キー信号４３はローパスフィルタ（ＬＰＦ）を介した信号である。このようにすることで、周波数の偏りを利用して左右を識別できる。なお、この場合、Ｌ用キー信号４２は、ＨＰＦを介して得られたＬ用の測定音４０に含まれるキー信号であってもよいし、Ｒ用キー信号４３は、ＬＰＦを介して得られたＲ用の測定音４１に含まれるキー信号であってもよい。
【００４８】
なお、上述したようなキー信号は一例であり、キー信号は左右を識別可能な信号であればよい。また、キー信号はＬ用の測定音４０またはＲ用の測定音４１の何れかに含まれていればよい。この場合、識別部２１４は、測定している入力音信号にキー信号が含まれているかどうかで左右を識別してもよい。あるいは、例えばキー信号が含まれていない場合、測定していないもう一方の側で測定された入力音信号に含まれるキー信号の識別結果に基づき、キー信号が含まれていない側を識別してもよい。
【００４９】
以上説明したように、第１の実施形態によれば、イヤホンの左右の判別し、左右それぞれに対応した補正フィルタを適切に作成し、イヤホンの左右の音質を適切に改善することができる。これによって、ユーザによるイヤホンの左右の判別を必要とせず、例えばユーザがイヤホンの左右から出力される音を聴いて左右を判断することや、ユーザがイヤホンの左右の表示を確認することが不要になる。したがって、イヤホンの左右の適切な判別と測定を簡単に精度よく行うことができる。そのため、ユーザが同じ側を誤って何度も測定してしまうようなヒューマンエラーを防止し、測定に費やす時間を短縮することができる。また、ユーザは、測定に用いたイヤホンで音楽等を視聴すると、理想的なイヤホンで使用して視聴した場合に近い音で聞こえるため、高音質な音楽を楽しむことができる。さらに、左右を判別するために使用するキー信号を出力される測定音の始め側の区間に入れることで、早く左右を判別することができる。
【００５０】
（第２の実施形態）
以下、第２の実施の形態について図面を参照して説明する。なお、第１の実施形態と同様の機能または構成については説明を省略する。  
第２の実施形態では、イヤホンの左右の識別結果を用いて識別されていない側から出力されている音のレベルを下げる。具体的には、測定中に、測定している側がＬ、Ｒのいずれであるかが認識できた後に、測定していない側の測定音のレベルを、下げるか、もしくは、ＯＦＦにする制御をする。さらに、その識別結果をユーザが分かるように表示する。具体的には、ユーザに提示する機能、例えばＧＵＩ表示あるいは音声応答で、識別した側がイヤホンのＬ側あるいはＲ側のいずれであるかの情報をユーザに通知する。
【００５１】
始めに、図７及び図８を参照し、測定音のレベルを下げた測定音の構成について説明する。  
図７では、測定している入力音信号がＬ側の測定音４０であることが、識別部２１１によって識別された場合を想定している。また、Ｌ用キー信号４２はＬ用測定音４０の初段区間に含まれている。識別部２１１による識別結果は、Ｌ用キー信号４２が測定されることによって得られるため、Ｌ用キー信号４２が測定された後のＲ用測定音５１に含まれる測定信号を無音化する。具体的には、図７では、Ｒ用キー信号４３の次に出力される信号から無音化される。無音化された信号は、無音化信号５４Ａ、５４Ｂ、及び５４等である。
【００５２】
図８では、測定している入力音信号がＲ側の測定音４１であることが、識別部２１１によって識別された場合を想定している。図７と同様に、Ｌ用キー信号４２の次に出力される信号から無音化される。具体的には、図８で、無音化される信号は無音化信号５５Ａ、５５Ｂ、及び５５Ｅ等で示される。
【００５３】
なお、無音化とは、測定音に含まれる測定信号の音のレベルを完全にＯＦＦにする制御であってもよいが、測定の妨げにならないような測定音に含まれる測定信号の音の再生レベルを小さくする制御であってもよい。  
次に、図９を参照し、第２の実施形態における、イヤホンの左右の音質を改善するための処理について説明する。  
始めに、送信部２２２Ａが測定音を出力する（ステップＳ３１）。なお、ステップＳ３１で、Ｌ側及びＲ側の両方から測定音を出力するため、少なくとも１回目の測定の際は、ユーザがイヤホンのＬ側及びＲ側の判別を意識することなく測定を開始することが可能となる。次に、識別部２１１によって左右が識別され、測定音のＬ側及びＲ側の識別結果を取得する。（ステップＳ３２）。この識別結果を用いることによって、同時に測定していない側が決定するので、測定していない側、つまり識別されない側（ユーザが測定していない側）の測定音の出力を低減する（ステップＳ３６）。なお、測定音の出力の低減は、測定していない側のイヤホン再生音を小さくするまたはＯＦＦにするように、測定していない側の測定音もしくは、イヤホン再生出力の制御によって行われる。また、この際、識別されている側（測定している側）のイヤホンに対する測定音を小さくする制御は行わない。
【００５４】
次に、識別された側がイヤホンの何れであるかの情報を、識別結果に基づき、ユーザに表示する（ステップＳ３７）。あるいは、識別結果の情報に基づくガイドを提示してもよい（ステップＳ３７）。なお、この機能は、ＧＵＩ表示または音声応答などによって実現されてもよい。例えば、図２に示すＬＣＤ１３に、識別結果をユーザが分かるように表示してもよい。これにより、例えばユーザは測定している側のイヤホンのＬ側とＲ側を意識せずに測定を開始したとしても、測定すると、Ｌ側とＲ側がどちらであるかの情報を自然に知ることが可能となる効果がある。
【００５５】
次に、測定音の中に含まれる測定信号を用いて特性分析を行う（ステップＳ３３）。また、識別された結果を用いることにより、未測定の側があるかどうかを判定する（ステップＳ３８）。未測定の側がある場合（ステップＳ３８のＹＥＳ）、ステップＳ３１に戻って未測定の側の測定を行う。一方、未測定の側がないと判定された場合（ステップＳ３８のＮＯ）、ステップＳ３２で取得したＬ側及びＲ側の識別結果と、ステップＳ３３で取得した特性を対応付ける（ステップＳ３４）。そして、対応付けられた特性に対応した補正をＬ側及びＲ側に対して行うための特性補正が行われる。
【００５６】
以上のように、第２の実施形態において、測定時にマイクロホンに近づけていない側のイヤホンから出力される測定音の音レベルを下げる、あるいは全く音が出ないようにすることで、測定している側の測定性能を下げることなく、さらに測定性能を改善できる。つまり、測定していない側から出力される音がマイクロホから収音されることを防止できる。そのため、測定のＳＮ比を改善することができる。また、測定時にマイクロホンに近づけていない側からでる音のレベルを抑えることで、周りへの騒音等の影響を抑えることができる。
【００５７】
（第３の実施形態）
以下、第３の実施の形態について図面を参照して説明する。なお、第１の実施形態及び第２の実施形態と同様の機能または構成については説明を省略する。  
第３の実施形態では、収音した測定音内のキー信号（キー情報）が含まれる区間の信号を、測定音内の測定信号から得られる音響特性に基づいて補正し、この補正された信号に基づき左右の判定をする。これにより、キー信号等の測定音に含まれる左右を識別するためのキー情報の抽出をより確実に行うことができる。測定音に含まれるキー情報は、イヤホンから出力されマイクロホン１６で収音されるため、収音された音に含まれるキー情報はイヤホンの特性の影響を受ける。第３の実施形態では、このような影響によるキー情報の識別精度の低下を改善することができる。
【００５８】
始めに、図１０を参照して、第３の実施形態の、イヤホンから出力される音の音質を改善するための処理について説明する。  
送信部２２２Ａが測定音をイヤホンに出力する（ステップＳ１０１）。次に、測定音の中に含まれる測定信号に基づき特性を分析する（ステップＳ１０２）。なお、特性の分析を行う際、測定信号のイヤホンの周波数特性を目標特性に近づける補正に必要な特性を補正特性として得てもよい。なお、目標特性はフラットに近いことが望ましいが、所定の目標特性であればよく、目標特性は予め分かっていることを考慮し補正のための特性を設計できるため、目標特性はフラットでなくてもよい。このようにして、イヤホンの特性の影響を除去するための補正特性もしくは補正フィルタが得られる。なお、補正特性とは、測定信号に含まれるイヤホンの周波数特性を目標特性に近づけるための特性である。補正特性は、例えば、イコライザのフィルタ設計時に生成される補正フィルタとして得ることができる。
【００５９】
次に、収音した入力音信号内のキー信号を含む区間に対して、ステップＳ１０２で生成した補正フィルタを適用しキー信号の補正を行う。これにより、イヤホンの特性による影響を取り除いた、補正されたキー信号を用いて、識別部２１４はＬ側及びＲ側の識別を行うことができる。
【００６０】
次に、イヤホンの両側の特性が測定されたかどうかが判定される（ステップＳ１０４）。そして、ステップＳ１０２で取得した特性と、ステップＳ１０３で取得した識別結果とを対応付ける（ステップＳ１０５）。対応付けられた特性に対応した補正をＬ側及びＲ側それぞれに対して行うための特性補正処理が行われる（ステップＳ１０６）。
【００６１】
図１１を参照して、図１０のステップＳ１０３における識別処理について具体的に述べる。  
ステップＳ１０３Ａは、ステップＳ１１１及びステップＳ１１２から構成される。特性補正を用いたキー信号を含んでいる識別区間の分析を行う（ステップＳ１１１）。特性補正とは、上述したような補正フィルタ等を用いた補正である。マイクロホン１６で収音した入力音信号のキー信号が含まれる区間に対して補正フィルタをかけることにより、補正された識別区間の分析を行う（ステップＳ１１１）。なお、識別区間は予めＰＣ１内で設定されている。そして、分析結果に基づきＬ側及びＲ側の識別を行い識別結果を取得する（ステップＳ１１２）。
【００６２】
以上のように、第３の実施形態において、イヤホンの特性の分析を識別処理よりも先に行い、分析処理によって得られた補正フィルタを用いてキー信号が補正されるため、補正されたキー信号を用いて左右を識別することができる。そのため、キー信号がイヤホンの特性で劣化していた場合でも、高精度に左右を識別することができる。
【００６３】
（変形例）
以下、測定時に用いる測定音の構成の変形例について説明する。  
図１２は、Ｌ用の測定音６０に含まれる測定信号と逆位相の測定信号をＲ用の測定音６１に含ませた場合の測定音の構成例を示している。なお、逆位相の測定信号とは、時間軸上で出力される信号を反転させた信号である。例えば、測定信号としてＴＳＰ信号を用いた場合、逆位相の測定信号は時間順が逆のＴＳＰ信号を用いる。このような測定信号を使用することで、測定音にキー信号を含ませることなく左右を識別することができる。
【００６４】
具体的には、例えば、図１２に示すように、逆位相の測定信号は、測定信号６２Ａ、６２Ｂ、及び６２Ｅ等のそれぞれに対して逆位相の測定信号６３Ａ、６３Ｂ、及び６３Ｅ等で示される。
【００６５】
次に、図１３及び図１４を参照して、逆位相の測定信号を用いた場合の測定していない側の信号の無音化について説明する。  
図１３では、Ｌ用の測定音６０が測定されている場合を想定している。測定信号６２Ａが分析され、例えば予め設定しておいた測定信号と一致している場合、測定している測定音がＬ用の測定音６０であることが識別されるため、測定信号６２Ａの次に出力される測定信号６２Ｂに時間軸上で対応するＲ用の測定音７１の信号（図１３では、無音化信号６４Ａで示される）を無音化する。
【００６６】
図１４では、Ｒ用の測定音７３が測定されている場合を想定している。逆位相の測定信号６３Ａが分析されることによって、測定している測定音がＲ用の測定音７３であることが識別される。そのため、逆位相の測定信号６３Ａの次に出力される信号は逆位相でない測定信号、つまり測定信号と同位相の測定信号、であってもよい。具体的には、図１４に示すように、逆位相の測定信号６３Ａの次に出力される信号を、逆位相ではない測定信号６２ＦとしてＲ側に出力されてもよい。なお、測定していない側のＬ側の測定音７２は、測定信号６２Ａの次に出力される信号から無音化してもよい。具体的には、図１４に示すように、測定信号６２Ａの次に出力される信号（図１４では、無音化信号６５Ａで示される）を無音化する。
【００６７】
なお、測定音の構成のその他の例として、初期信号を用いた場合が考えられる。初期信号は、測定を行う際の測定するためのシステムの初期調整のために使用する信号である。初期信号は測定信号よりも先に出力される。このような場合は、次に示すようにキー信号を初期信号と測定信号の間に入るような測定音の構成にできる。  
Ｌ側の測定音：［初期信号］［Ｌ用キー信号］［測定信号］［測定信号］…［測定信号］  
Ｒ側の測定音：［初期信号］［Ｒ用キー信号］［測定信号］［測定信号］…［測定信号］  
なお、キー信号もしくは測定信号が初期信号を兼ねる構成であってもよい。
【００６８】
また、図１２で示したように、逆位相の測定信号を用いた左右の識別処理は、所定の測定信号とマイクロホン１６で収音される音の信号との相関で左右が判別されてもよい。さらに、Ｌ用の測定音にＴＳＰ信号を測定音として含ませ、Ｒ用の測定音に時間順が逆のＴＳＰ信号またはピンクＴＳＰ信号を用いるなど、出力される測定音の時間方向が順方向または逆方向であってもよい。また、測定音は、Ｌ用の測定音の測定信号にＴＳＰ信号を用い、Ｒ用の測定音の測定信号にピンクＴＳＰ信号を使用するなど、Ｌ用とＲ用で異なる性質の信号の組み合わせであってもよい。この場合も、所定の測定信号とマイクロホン１６で収音される音の信号との相関で左右が判別されてもよい。
【００６９】
あるいは、測定信号間の出力時間間隔が異なるような測定音の構成であってもよい。具体的には、例えば、図４に示すような、時刻ｔ１と時刻ｔ２の間の時間間隔が、Ｌ用の測定音とＲ用の測定音とで異なっている場合である。
【００７０】
最後に、図１５を参照して、上述した、左右を識別する際に用いる左右のキー信号に、時間軸上でのキー信号内のエネルギ分布に偏りの違いがある場合について説明する。図１５に示すように、例えば、Ｌ用のキー信号は時間軸上の前半部分にエネルギが多く、逆にＲ用のキー信号は時間軸上の後半部分にエネルギが多く存在してもよい。なお、Ｌ用キー信号とＲ用キー信号はそのエネルギ分布に違いがあればよいので、図１５に示すように、必ずしもＬ用キー信号とＲ用キー信号との間に対象性がある必要はない。
【００７１】
また、一般的に、イヤホンやヘッドホンは低域や高域に比べると中音域の左右の特性の差が比較的小さくなるように設計されていることから、例えば１ｋＨｚ付近の周波数が含まれるようなキー信号とすることで、エネルギー分布の偏りを利用した上記のような識別キーがより安定的に有効となる。
【００７２】
以上説明したように、第１の実施形態乃至第３の実施形態において、ユーザがイヤホンの左右について音を聞いて左右を判断することや、ユーザがイヤホンの左右の表示を確認することなく、イヤホンの左右の適切な判別と測定を簡単に精度よく行うことができる。
【００７３】
なお、本実施形態の補正制御処理の手順は全てソフトウェアによって実行することができる。このため、この補正制御処理手順を実行するプログラムを格納したコンピュータ読み取り可能な記憶媒体を通じてこのプログラムを通常のコンピュータにインストールして実行するだけで、第１の実施形態乃至第３の実施形態と同様の効果を容易に実現することができる。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１…コンピュータ、１６…マイクロホン、１８…（Ｌ側）音出力部、１９…（Ｒ側）音出力端子、４０…Ｌ用の測定音、４１…Ｒ用の測定音、１１３…出力端子（イヤホン端子）、１２２…メディアプレーヤ、２０２…音質改善プログラム、２１１…測定部、２１２Ａ…Ｌ用補正フィルタ設計部、２１２Ｂ…Ｒ用補正フィルタ設計部、２２１Ａ…Ｌ用補正フィルタ、２２１Ｂ…Ｒ用補正フィルタ、２２２…音響信号再生部、２２２Ａ…送信部、２１４…識別部。
【図１】
2013098731.tif 000003
【図２】
2013098731.tif 000004
【図３】
2013098731.tif 000005
【図４】
2013098731.tif 000006
【図５】
2013098731.tif 000007
【図６】
2013098731.tif 000008
【図７】
2013098731.tif 000009
【図８】
2013098731.tif 000010
【図９】
2013098731.tif 000011
【図１０】
2013098731.tif 000012
【図１１】
2013098731.tif 000013
【図１２】
2013098731.tif 000014
【図１３】
2013098731.tif 000015
【図１４】
2013098731.tif 000016
【図１５】
2013098731.tif 000017